(57)【要約】【課題】  パッキンの耐久性を高めて防水性を長期間に亘り確保することができる電池蓋構造およびそれを備えた携帯端末を提供する。【解決手段】  機器ケース１の裏面側に電池挿脱口１１ａが設けられた電池収納部１１と、電池挿脱口１１ａを開閉可能に塞ぐ電池蓋１０と、この電池蓋１０の枠状部２５の周囲に設けられた溝部２５ａに挿着されて電池収納部１１を電池蓋１０により密閉させるための防水パッキン２６と、を備え、溝部２５ａに挿着された防水パッキン２６への側圧力が防水パッキン２６における直線領域よりも角領域の方が大きくなるように設定されている。従って、防水パッキン２６をその全周に亘ってほぼ均一に圧縮させることができるので、防水パッキン２６の耐久性を高めることができ、これにより防水性を長期間に亘り確保できるので、防水パッキン２６の交換寿命を延ばすことができる。【選択図】        図１０
2019053859.tif 000002
【特許請求の範囲】
【請求項１】
筺体の一面側に電池挿脱口が設けられた電池収納部と、
前記電池挿脱口を開閉可能に塞ぐ電池蓋と、
前記電池蓋の周囲または前記電池挿脱口の周囲に設けられた溝に挿着されて前記電池収納部を前記電池蓋により密閉させるためのパッキンと、
を備え、
前記溝に挿着された前記パッキンへの側圧力が前記パッキンにおける直線領域よりも角領域の方が大きくなるように設定されていることを特徴とする電池蓋構造。
【請求項２】
請求項１に記載の電池蓋構造において、
前記電池蓋の周囲と前記電池挿脱口の周囲との間に設けられる隙間は、前記電池蓋と前記電池挿脱口とにおける直線領域よりも角領域の方が狭く形成されることにより、前記パッキンへの側圧力が前記パッキンにおける直線領域よりも角領域の方が大きくなるように設定されていることを特徴とする電池蓋構造。
【請求項３】
請求項１に記載の電池蓋構造において、
前記溝の幅を当該溝における直線領域よりも角領域の方が狭く形成されることにより、前記パッキンへの側圧力が前記パッキンにおける直線領域よりも角領域の方が大きくなるように設定されていることを特徴とする電池蓋構造。
【請求項４】
請求項１〜請求項３のいずれかに記載の電池蓋構造において、
前記溝は前記電池蓋の周囲に設けられ、前記電池収納部は前記電池挿脱口に対応する内壁面を有し、前記内壁面は前記電池収納部の底部側から前記電池挿脱口側に向けて次第に広がる抜き勾配が設けられていることを特徴とする電池蓋構造。
【請求項５】
請求項１〜請求項４のいずれかに記載の電池蓋構造において、
前記電池蓋は、当該電池蓋の一端部に設けられた支点部を中心に回転して前記電池挿脱口を開閉させることを特徴とする電池蓋構造。
【請求項６】
請求項５に記載の電池蓋構造において、
前記溝で囲まれる領域の形状が、前記電池蓋の前記支点部から離れる方向と直交する幅方向の長さが前記支点部から離れるに従って次第に長くなる形状となるように、形成されていることを特徴とする電池蓋構造。
【請求項７】
請求項５または請求項６に記載の電池蓋構造において、
前記溝で囲まれる領域の形状が、前記電池蓋の前記支点部から離れた端部において前記電池蓋の前記支点部から離れる方向に向けて緩やかに突出して湾曲する形状となるように、形成されていることを特徴とする電池蓋構造。
【請求項８】
請求項４〜請求項７のいずれかに記載の電池蓋構造において、
前記抜き勾配は、前記電池蓋の前記支点部側での角度が小さく、前記支点部から離れた前記端部側での角度が大きく形成されていることを特徴とする電池蓋構造。
【請求項９】
筺体の一面側に開口部が設けられた収納部と、
前記開口部を開閉可能に塞ぐ蓋部材と、
前記蓋部材の周囲または前記開口部の周囲に設けられた溝に挿着されて前記収納部を前記蓋部材により密閉させるためのパッキンと、
を備え、
前記溝に挿着された前記パッキンへの側圧力が前記パッキンにおける直線領域よりも角領域の方が大きくなるように設定されていることを特徴とする携帯端末。
【発明の詳細な説明】
【技術分野】
【０００１】
この発明は、携帯端末などの電子機器に用いられる電池蓋構造およびそれを備えた携帯端末に関する。
【背景技術】
【０００２】
例えば、携帯電子機器においては、特許文献１に記載されているように、機器ケースに設けられた電池収納部の開口部を電池蓋で開閉可能に塞ぐように構成されたものが知られている。
【先行技術文献】
【特許文献】
【０００３】
【特許文献１】特開２０１２−１７８３１７号公報
【０００４】
この種の携帯電子機器における電池蓋構造は、電池蓋が、電池収納部の開口部を覆う外蓋と、この外蓋の内面に設けられた内蓋と、この内蓋の外周に設けられて電池収納部の内壁面に圧接する防水パッキンと、を備えた構造になっている。
【発明の概要】
【発明が解決しようとする課題】
【０００５】
このような電池蓋構造では、電池収納部の内壁面と電池蓋の内蓋とが四角形状に形成されているため、電池蓋の内蓋を電池収納部の開口部に挿入させて電池収納部の内壁面と電池蓋の内蓋との間に防水パッキンを挟んだ際に、角領域に位置する防水パッキンが辺部の直線領域に位置する防水パッキンよりも伸び易い。
【０００６】
このため、この電池蓋構造では、防水パッキンが劣化し易く、耐久性に乏しいため、防水パッキンによる防水性を長期間に亘って確保することができず、電池蓋の開閉による防水パッキンの交換寿命が短くなるという不都合が生じる。
【０００７】
この発明が解決しようとする課題は、パッキンの耐久性を高めて防水性を長期間に亘って確保することができる電池蓋構造およびそれを備えた携帯端末を提供することである。
【課題を解決するための手段】
【０００８】
この発明は、筺体の一面側に電池挿脱口が設けられた電池収納部と、前記電池挿脱口を開閉可能に塞ぐ電池蓋と、前記電池蓋の周囲または前記電池挿脱口の周囲に設けられた溝に挿着されて前記電池収納部を前記電池蓋により密閉させるためのパッキンと、を備え、前記溝に挿着された前記パッキンへの側圧力が前記パッキンにおける直線領域よりも角領域の方が大きくなるように設定されていることを特徴とする電池蓋構造である。
【発明の効果】
【０００９】
この発明によれば、パッキンの耐久性を高めることができると共に、長期間に亘って防水性を確保することができる。
【図面の簡単な説明】
【００１０】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【図６】図４に示された携帯端末において、電池蓋を取り外した状態を示した斜視図である。
【図７】図４に示された携帯端末の電池蓋を示し、（ａ）はその裏面側を示した斜視図、（ｂ）はその内面側を示した斜視図である。
【図８】図５に示された電池蓋の枠状部を電池収納部内の中枠に装着する状態を示し、（ａ）は枠状部を中枠内に装着した状態を断面で示した拡大斜視図、（ｂ）は枠状部を中枠内に装着する途中の状態を断面で示した拡大斜視図である。
【図９】図５に示された携帯端末における電池収納部の中枠を示した拡大斜視図である。
【図１０】図９に示された電池収納部の中枠の内周面に防水パッキンが圧接する状態を示し、（ａ）はその裏面図、（ｂ）はその中枠の角領域に位置する円弧部における防水パッキンの圧接状態を示した拡大図である。
【発明を実施するための形態】
【００１１】
以下、図１〜図１０を参照して、この発明を携帯端末に適用した一実施形態について説明する。
この携帯端末は、図１〜図５に示すように、端末本体である機器ケース１を備えている。この機器ケース１は、縦方向（図１では上下方向）に長い縦長のほぼ長方形状に形成されている。
【００１２】
この機器ケース１は、図１〜図５に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１３】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１４】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１５】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１６】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１７】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１８】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１９】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００２０】
さらに、この機器ケース１の下辺部側に位置する幅狭部１ｂには、図２〜図５に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられ、機器ケースの裏面に設けられた電池挿脱口１１ａによって裏面側に開放されている。
【００２１】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２２】
これにより、電池蓋１０は、図２、図４および図５に示すように、電池収納部１１の電池挿脱口１１ａを開閉可能に覆った状態で、上辺部の縁部が一対の取付レバー１３によって係止されることにより、電池収納部１１の下辺部側から後述する下面トリガーキー２０を超えた状態で、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２３】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２４】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２５】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２６】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様で、ユーザが一方の手で機器ケース１を保持した際に、ユーザの把握手がフィットすることにより、ユーザの手の大きさに係わらず、ユーザが片手で握り易い形状に形成されている。
【００２７】
また、このグリップ部１４のうち、裏面に位置する電池蓋１０には、図２〜図５に示すように、ユーザが母指Ｆ１を機器ケース１の表面に被せ機器ケース１の脇側から延ばした他の指Ｆ２〜Ｆ５で機器ケース１の裏面を支えるような把握態様で、ユーザが一方の手で機器ケース１を保持した際に、ユーザが把握する手の示指Ｆ２と中指Ｆ３との間に膨らみを持たせる形状に盛り上がる盛上り部１５が設けられている。
【００２８】
この場合、盛上り部１５は、図２〜図５に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様で、ユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００２９】
すなわち、この頭頂部１５ａは、図２〜図５に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａの一方側の裾野である第１の指掛領域１７と、頭頂部１５ａの他方側の裾野である第２の指掛領域１８と、を備えている。
【００３０】
第１の指掛領域１７は、図２〜図５に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００３１】
すなわち、第１の指掛領域１７は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が、電池蓋１０の縦方向（長手方向）における下辺部側、つまりユーザが把握する手側に向けて押し当てられて配置されるような傾斜面に形成されている。
【００３２】
この第１の指掛領域１７は、図２〜図５に示すように、電池蓋１０の上辺側に位置する上辺部から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００３３】
このため、この盛上り部１５は、図２〜図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３４】
一方、第２の指掛領域１８は、図２〜図５に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てられて、ユーザの中指Ｆ３〜小指Ｆ５が並んだ状態で自然に曲がるような湾曲面に形成されている。
【００３５】
すなわち、この第２の指掛領域１８は、図２〜図４に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３６】
さらに、この機器ケース１は、図１〜図５に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００３７】
ところで、電池蓋１０の上辺部に設けられた盛上り部１５の第１の指掛領域１７は、図５に示すように、下部ケース３に設けられた蓋保持部２３の裏面に配置されて保持されるように構成されている。すなわち、この蓋保持部２３は、第１の指掛領域１７とほぼ同じ形状に盛り上がって形成されている。この蓋保持部２３の内部には、下面トリガーキー２０が第１の指掛領域１７に対応して設けられている。
【００３８】
この下面トリガーキー２０は、図５に示すように、キー操作部５の上面トリガーキー５ａおよび側面トリガーキー８と同様、光学読取部６による読取動作を実行させるためのものである。この下面トリガーキー２０は、スイッチ本体２０ａと操作釦２０ｂとスイッチ保持部２０ｃとを備えている。
【００３９】
すなわち、この下面トリガーキー２０のスイッチ保持部２０ｃは、図５に示すように、第１の指掛領域１７に対応する蓋保持部２３内に配置された状態で、蓋保持部２３の内面に取り付けられている。スイッチ本体２０ａは、第１の指掛領域１７の傾斜面と平行に傾斜した状態で、スイッチ保持部２０ｃに保持され、この状態で機器ケース１の幅広部１ａ内に設けられた回路基板２２と電気的に接続されるように構成されている。
【００４０】
操作釦２０ｂは、図５に示すように、被押圧部であり、第１の指掛領域１７の傾斜面と平行に傾斜した状態でスイッチ本体２０ａに配置され、蓋保持部２３に設けられた釦孔２３ａを通して、電池蓋１０の第１の指掛領域１７に設けられた釦挿入孔２１内に配置されている。これにより、操作釦２０ｂは、機器ケース１の外部から押圧操作された際に、スイッチ本体２０ａをオン動作させるように構成されている。この場合、操作釦２０ｂは、機器ケース１の外部に突出しない状態で第１の指掛領域１７の釦挿入孔２１内に配置されている。
【００４１】
このため、下面トリガーキー２０は、図５に示すように、ユーザが機器ケース１のグリップ部１４を片手で握った際に、ユーザが把握する手の示指Ｆ２が屈曲した形状で示指Ｆ２の腹が第１の指掛領域１７にその湾曲に沿って押し当てられ、この状態で盛上り部１５を機器ケース１の下辺部側つまりユーザが把握する手側に向けて引き寄せても、操作釦２０ｂが示指Ｆ２の腹で押し込まれることがなく、スイッチ本体２０ａがオン動作しないように構成されている。
【００４２】
また、この下面トリガーキー２０は、図５に示すように、ユーザが機器ケース１のグリップ部１４を片手で握り、ユーザが把握する手の示指Ｆ２が屈曲した形状で、その示指Ｆ２の腹が第１の指掛領域１７にその湾曲に沿って押し当てられた状態で、示指Ｆ２の腹が盛上り部１５を機器ケース１の下辺部側つまりユーザが把握する手側に向けて引き寄せられて、示指Ｆ２の腹が釦挿入孔２１に強く押し込まれると、操作釦２０ｂが示指Ｆ２の腹によって押し込まれてスイッチ本体２０ａがオン動作するように構成されている。
【００４３】
一方、電池蓋１０は、図５〜図８に示すように、その外形が電池収納部１１の電池挿脱口１１ａよりも大きく形成されている。この電池蓋１０は、その下辺側の端部に設けられた支点突起部１０ａを支点として開閉するように構成されている。すなわち、この電池蓋１０は、その下辺側の支点突起部１０ａを電池収納部１１内の下辺部側に差し込み、この差し込んだ支点突起部１０ａを支点として回転して電池収納部１１の電池挿脱口１１ａを覆うように構成されている。
【００４４】
この場合、電池収納部１１は、図８および図９に示すように、その内部に中枠２４が電池収納部１１の電池挿脱口１１ａの周囲に沿って設けられている。電池蓋１０の内面には、図７および図８に示すように、電池収納部１１の中枠２４内に挿入する枠状部２５が中枠２４の内周に沿って設けられている。この枠状部２５の外周面における下部には、防水パッキン２６が挿着する溝部２５ａが全周に亘って設けられている。
【００４５】
防水パッキン２６は、図７および図８に示すように、ゴムなどの弾性材料でリング状に形成されている。すなわち、この防水パッキン２６は、その断面が円形状に形成され、電池蓋１０が電池収納部１１を覆って枠状部２５が電池収納部１１の中枠２４内に挿入された際に、電池収納部１１の中枠２４の内壁面２４ａに圧接するように構成されている。
【００４６】
この場合、電池蓋１０の枠状部２５に設けられた溝部２５ａは、図８（ａ）および図８（ｂ）に示すように、電池蓋１０の平面方向における内部の長さ（幅）が防水パッキン２６の断面形状の直径よりも短く形成されている。このため、防水パッキン２６は、枠状部２５の溝部２５ａ内に挿着された際に、防水パッキン２６の一部が枠状部２５の溝部２５ａ内から外部に突出するように構成されている。
【００４７】
また、この溝部２５ａにおける電池蓋１０の平面方向における内部の長さ（幅）は、図８（ａ）および図８（ｂ）に示すように、溝部２５ａにおける辺部である直線領域よりも角領域の方が狭く形成される。このため、防水パッキン２６は、角領域における溝部２５ａ内から外部に突出する突出長さが、辺部である直線領域よりも長くなるようになっている。これにより、防水パッキン２６は、電池収納部１１の中枠２４の内壁面２４ａに圧接する側圧力が直線領域よりも角領域の方が大きくなるように形成されている。
【００４８】
また、電池蓋１０の枠状部２５と電池収納部１１の中枠２４とは、図７および図９に示すように、電池蓋１０の支点突起部１０ａから離れる長手方向と直交する幅方向の長さが、支点突起部１０ａから離れるに従って次第に長くなる末広形状に形成されている。また、電池蓋１０の枠状部２５と電池収納部１１の中枠２４とは、電池蓋１０の支点突起部１０ａから離れた上辺部が、支点突起部１０ａから離れる方向に向けて緩やかに突出して湾曲する湾曲部２５ｃ、２４ｃに形成されている。
【００４９】
これにより、電池蓋１０の枠状部２５と電池収納部１１の中枠２４とは、図７および図９に示すように、枠状部２５が中枠２４内に挿入して配置される状態で、これら全体がほぼ五角形状に形成されている。このため、電池蓋１０の枠状部２５と電池収納部１１の中枠２４との各角領域は、全て鈍角になっている。この場合、電池収納部１１の中枠２４の各角領域とこれに対応する電池蓋１０の枠状部２５の各角領域とは、それぞれ互いに同じ曲率の円弧部２４ｂ、２５ｂに形成されている。
【００５０】
このため、防水パッキン２６は、図７、図９および図１０に示すように、電池蓋１０の枠状部２５が電池収納部１１の中枠２４内に挿入されて、中枠２４の内壁面２４ａに圧接する際に、電池蓋１０の枠状部２５と電池収納部１１の中枠２４とにおける各角領域の各円弧部２４ｂ、２５ｂ間に位置する箇所の防水パッキン２６の伸びが抑えられるように構成されている。
【００５１】
また、電池蓋１０の枠状部２５における各角領域の円弧部２５ｂに位置する防水パッキン２６は、図７、図９および図１０に示すように、電池収納部１１の中枠２４における各角領域の円弧部２４ｂに圧接する側圧力が、電池蓋１０の枠状部２５における各角領域の円弧部２５ｂ以外に位置する防水パッキン２６の側圧力、つまり枠状部２５の各辺部である直線領域に位置する防水パッキン２６の側圧力よりも大きく設定されている。
【００５２】
すなわち、防水パッキン２６は、図１０（ａ）および図１０（ｂ）に示すように、電池蓋１０の枠状部２５における各角領域の円弧部２５ｂと電池収納部１１の中枠２４における各角領域の円弧部２４ｂとの間に位置する箇所の圧縮量が、電池蓋１０の枠状部２５における各辺部である直線領域と電池収納部１１の中枠２４における各辺部である直線領域との間に位置する箇所の圧縮量よりも大きく設定されている。
【００５３】
例えば、電池蓋１０の枠状部２５における各角領域の円弧部２５ｂと電池収納部１１の中枠２４における各角領域の円弧部２４ｂとの間に位置する箇所の圧縮量は、約０．２ｍｍであり、電池蓋１０の枠状部２５における各辺部である直線領域と電池収納部１１の中枠２４における各辺部である直線領域との間に位置する箇所の圧縮量は、０．１５ｍｍである。
【００５４】
これにより、防水パッキン２６は、図１０（ａ）および図１０（ｂ）に示すように、電池蓋１０の枠状部２５を電池収納部１１の中枠２４内に挿入させる際に、電池蓋１０の枠状部２５と電池収納部１１の中枠２４との各円弧部２５ｂ、２４ｂ間における防水パッキン２６の側圧力が、各円弧部２５ｂ、２４ｂ間以外の箇所、つまり各辺部である直線領域の側圧力よりも大きいことにより、防水パッキン２６の耐久性を高めて防水パッキン２６による防水性を長期間に亘って確保するように構成されている。
【００５５】
また、電池収納部１１の中枠２４の内壁面２４ａは、図８（ａ）および図８（ｂ）に示すように、中枠２４の底部側から電池挿脱口１１ａ側に向けて次第に大きくなる抜き勾配θが設けられている。この抜き勾配θは、支点突起部１０ａから離れた中枠２４の上辺部である湾曲部２４ｃ側の傾斜角度が電池蓋１０の支点突起部１０ａ側の傾斜角度よりも大きく形成されている。例えば、電池蓋１０の支点突起部１０ａ側の抜き勾配θは、約３度の角度で、支点突起部１０ａから離れた中枠２４の上辺側の湾曲部２４ｃにおける抜き勾配θは、約７度の角度で設けられている。
【００５６】
これにより、電池蓋１０は、図７〜図１０に示すように、その支点突起部１０ａを支点として電池蓋１０を回転させて、電池蓋１０の枠状部２５を電池収納部１１の中枠２４内に挿入させる際に、中枠２４の内壁面２４ａに対する防水パッキン２６の摩擦抵抗が抜き勾配θによって電池蓋１０の支点突起部１０ａから離れるに従って次第に小さく抑えられるように構成されている。
【００５７】
この場合、電池収納部１１の中枠２４における内壁面２４ａの縁部には、図８（ａ）および図８（ｂ）に示すように、面取部２４ｄが設けられている。これにより、この面取部２４ｄは、電池蓋１０の枠状部２５を電池収納部１１の中枠２４内に挿入させる際に、枠状部２５の溝部２５ａ内から外部に突出する防水パッキン２６を中枠２４内に良好に導いて挿入させるように構成されている。
【００５８】
次に、このような携帯端末の作用について説明する。
この携帯端末を使用する場合には、まず、機器ケース１の裏面に電池蓋１０を取り付けて、機器ケース１の幅狭部１ｂに設けられた電池収納部１１の電池挿脱口１１ａを覆う。このときには、電池蓋１０の下辺部の支点突起部１０ａを電池収納部１１の下辺側の内周部に装着させ、この装着された電池蓋１０の支点突起部１０ａを支点として電池蓋１０を回転させる。
【００５９】
すると、電池蓋１０の枠状部２５が電池収納部１１の中枠２４内に、電池蓋１０の支点突起部１０ａ側の下辺部から上辺側に向けて徐々に挿入する。このときには、枠状部２５の溝部２５ａ内に設けられて外部に突出する防水パッキン２６が電池収納部１１の中枠２４の内壁面２４ａに、支点突起部１０ａ側の下辺部から離れる上辺側に向けて順次圧接しながら、電池蓋１０の枠状部２５が電池収納部１１の中枠２４内に挿入する。
【００６０】
この場合には、電池蓋１０の枠状部２５と電池収納部１１の中枠２４とがほぼ五角形状に形成され、電池蓋１０の枠状部２５と電池収納部１１の中枠２４との各角領域それぞれが円弧部２５ｂ、２４ｂに形成されている。このため、電池蓋１０の枠状部２５と電池収納部１１の中枠２４とにおける各角領域の円弧部２５ｂ、２４ｂ間に位置する箇所の防水パッキン２６の伸びが各円弧部２５ｂ、２４ｂによって抑えられる。これにより、各角領域間に位置する箇所の防水パッキン２６は、その断面形状の縮小が各円弧部２５ｂ、２４ｂの円弧によって小さく抑えられる。
【００６１】
また、電池蓋１０の枠状部２５における各角領域の円弧部２５ｂに位置する防水パッキン２６は、電池収納部１１の中枠２４における各角領域の円弧部２４ｂに圧接する側圧力が、電池蓋１０の枠状部２５における各角領域の円弧部２５ｂ以外の箇所、つまり枠状部２５の各辺部である直線領域に位置する防水パッキン２６の側圧力よりも大きく設定されていることにより、防水パッキン２６がほぼ均一に圧接されるため、耐久性が高められて長期間に亘って防水性が確保される。
【００６２】
すなわち、この防水パッキン２６は、電池蓋１０の枠状部２５における各角領域の円弧部２５ｂと電池収納部１１の中枠２４における各角領域の円弧部２４ｂとの間に位置する箇所の圧縮量が、電池蓋１０の枠状部２５における各辺部と電池収納部１１の中枠２４における各辺部との間に位置する箇所の圧縮量よりも大きく設定されていることにより、防水パッキン２６がその全周に亘ってほぼ均一に圧縮されるので、耐久性が高められて長期間に亘って防水性が確保される。
【００６３】
この場合、電池蓋１０は、枠状部２５が電池収納部１１の中枠２４内に挿入される際に、電池蓋１０の下辺部の支点突起部１０ａを支点として開閉することにより、電池蓋１０の下辺部の支点突起部１０ａを中心に回転して、電池蓋１０の枠状部２５が電池収納部１１の中枠２４内に、支点突起部１０ａ側の下辺部から上辺側に向けて徐々に挿入されるので、電池蓋１０の枠状部２５が電池収納部１１の中枠２４内に円滑にかつ良好に挿入される。
【００６４】
また、電池蓋１０の枠状部２５と電池収納部１１の中枠２４とは、電池蓋１０の支点突起部１０ａから離れる長手方向と直交する幅方向の長さが、支点突起部１０ａから離れるに従って次第に長くなる末広形状に形成されていることにより、電池蓋１０の下辺部側の支点突起部１０ａを中心に電池蓋１０が回転して、電池蓋１０の枠状部２５が電池収納部１１の中枠２４内に挿入される際に、電池蓋１０の回転に応じて防水パッキン２６が支点突起部１０ａ側の下辺部から上辺側に向けて順次中枠２４の内壁面２４ａに圧接される。
【００６５】
また、電池蓋１０の枠状部２５と電池収納部１１の中枠２４とは、電池蓋１０の支点突起部１０ａから離れた上辺部が、支点突起部１０ａから離れる方向に向けて緩やかに突出して湾曲する湾曲部２５ｃ、２４ｃに形成されていることにより、支点突起部１０ａから離れる方向に位置する枠状部２５の湾曲部２５ｃに位置する防水パッキン２６がこれに対応する中枠２４の湾曲部２４ｃの内面にその湾曲に沿って順次圧接される。
【００６６】
この場合、電池収納部１１の中枠２４の内壁面２４ａには、その底部側から電池挿脱口１１ａ側に向けて次第に広がるように抜き勾配θが設けられていることにより、電池蓋１０の枠状部２５が電池収納部１１の中枠２４内に挿入する際に、中枠２４の内壁面２４ａの抜き勾配θによって中枠２４の内壁面２４ａに対する防水パッキン２６の摩擦抵抗が抑えられるので、防水パッキン２６の捩れや切断が防げる。
【００６７】
このときには、電池収納部１１の中枠２４の内壁面２４ａに設けられた抜き勾配θは、電池蓋１０の支点突起部１０ａ側の傾斜角度が小さく、支点突起部１０ａから離れた上辺部の湾曲部２４ｃの傾斜角度が大きく形成されていることにより、電池蓋１０の枠状部２５を電池収納部１１の中枠２４内に挿入する際に、電池蓋１０の支点突起部１０ａから離れた中枠２４の湾曲部２４ｃに対する防水パッキン２６の摩擦抵抗が小さく抑えられる。
【００６８】
これにより、防水パッキン２６の捩れや切断を防ぐと共に、電池蓋１０の枠状部２５が電池収納部１１の中枠２４内に良好に挿入される。この場合には、電池収納部１１の中枠２４における内壁面２４ａの縁部に面取部２４ｄが設けられていることにより、電池蓋１０の枠状部２５を電池収納部１１の中枠２４内に挿入させる際に、面取部２４ｄによって枠状部２５の外周に設けられた防水パッキン２６ガ導かれて円滑にかつ容易に挿入される。
【００６９】
このため、電池蓋１０は、防水パッキン２６によって防水性が確保された状態で、第１の指掛領域１７の延長部１７ａが下部ケース３の蓋保持部２３上に配置されて、電池収納部１１の電池挿脱口１１ａを覆う。このときには、電池蓋１０に設けられた釦挿入孔２１が蓋保持部２３の釦孔２３ａに対応し、この釦孔２３ａを通して下面トリガーキー２０の操作釦２０ｂが電池蓋１０の第１の指掛領域１７に設けられた釦挿入孔２１に挿入される。この場合、操作釦２０ｂは、機器ケース１の外部に突出しない状態で第１の指掛領域１７の釦挿入孔２１内に配置される。
【００７０】
また、このときには、電池蓋１０の上辺部の縁部が、下部ケース３の裏面に設けられた一対の取付レバー１３に対応する。このため、これら一対の取付レバー１３を回転操作させることにより、一対の取付レバー１３によって電池蓋１０の上辺部の縁部が下部ケース３の裏面に押し付けられて係止される。これにより、電池蓋１０が、下面トリガーキー２０を超えた状態で、電池収納部１１を覆って下部ケース３の裏面に取り付けられる。
【００７１】
このような携帯端末を使用する場合には、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが一方の手でグリップ部１４を把握する。
【００７２】
このときには、母指Ｆ１が機器ケース１の表面のキー操作部５上に配置され、ユーザが把握する手の示指Ｆ２と中指Ｆ３との間に、膨らみを持たせる形状の盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００７３】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を盛上り部１５の下辺部側つまりユーザが把握する手側に向けて、その把握手の示指Ｆ２を引き寄せる。
【００７４】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００７５】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ｂが示指Ｆ２の腹によって押し込まれることがないので、スイッチ本体２０ａがオン動作することがない。
【００７６】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲面に沿って自然に曲がった状態で並んで配置される。
【００７７】
これにより、ユーザが把握する手の示指Ｆ２と中指Ｆ３との間に、膨らみを持たせる形状の盛上り部１５の頭頂部１５ａが配置された状態で、中指Ｆ３〜小指Ｆ５が盛上り部１５の第２の指掛領域１８を包み込むように自然に曲がった状態で第２の指掛領域１８に並んで配置される。このため、指Ｆ３〜Ｆ５が第２の指掛領域１８にその湾曲面に沿って安定した状態で良好に配置される。これによって、ユーザが片手で機器ケース１のグリップ部１４を確実にかつ良好に把握することができる。
【００７８】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００７９】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００８０】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００８１】
また、ユーザが機器ケース１のグリップ部１４を握った際には、ユーザが把握する手の示指Ｆ２が屈曲した形状で、その示指Ｆ２の腹が第１の指掛領域１７にその湾曲に沿って押し当てられて、第１の指掛領域１７を機器ケース１の下辺部側つまりユーザが把握する手側に向けて引き寄せた状態で、示指Ｆ２の腹を釦挿入孔２１に強く押し込むと、下面トリガーキー２０の操作釦２０ｂが示指Ｆ２の腹によって押し込まれて、下面トリガーキー２０のスイッチ本体２０ａをオン動作させる。
【００８２】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００８３】
このように、この携帯端末によれば、筺体である機器ケース１の裏面側に電池挿脱口１１ａが設けられた電池収納部１１と、電池挿脱口１１ａを開閉可能に塞ぐ電池蓋１０と、この電池蓋１０の枠状部２５の周囲に設けられた溝部２５ａに挿着されて電池収納部１１を電池蓋１０により密閉させるための防水パッキン２６と、を備え、溝部２５ａに挿着された防水パッキン２６への側圧力が防水パッキン２６における直線領域よりも角領域の方が大きくなるように設定されていることにより、防水パッキン２６の耐久性を高めて防水性を長期間に亘って確保することができる。
【００８４】
すなわち、この携帯端末では、電池収納部１１の中枠２４における各角領域の内面に圧接する防水パッキン２６の側圧力が、電池蓋１０の枠状部２５における各辺部である直線領域に位置する防水パッキン２６の側圧力よりも大きく設定されていることにより、電池収納部１１の中枠２４と電池蓋１０の枠状部２５との間に防水パッキン２６をほぼ均一に圧接させることができる。このため、防水パッキン２６の耐久性を高めることができ、これにより長期間に亘って防水性を確保することができると共に、電池蓋１０の開閉を繰り返しても、防水パッキン２６の交換寿命を延ばすことができる。
【００８５】
この場合、電池蓋１０の枠状部２５に設けられた溝部２５ａの幅は、当該溝部２５ａにおける直線領域よりも角領域の方が狭く形成されることにより、防水パッキン２６への側圧力が防水パッキン２６における直線領域よりも角領域の方が大きくなるように設定されていることにより、電池収納部１１の中枠２４の各角領域に圧接する防水パッキン２６の圧縮量を、電池収納部１１の中枠２４における各辺部である直線領域に圧接する防水パッキン２６の圧縮量よりも大きくすることができる。
【００８６】
このため、この携帯端末では、電池収納部１１の中枠２４の各角領域に圧接する防水パッキン２６の側圧力を、電池収納部１１の中枠２４における各辺部である直線領域に圧接する防水パッキン２６の側圧力よりも大きくすることができるので、防水パッキン２６をその全周に亘ってほぼ均一に圧縮させることができ、これにより、防水パッキン２６の耐久性を高めて、防水パッキン２６による防水性を長期間に亘って確保することができる。
【００８７】
この場合、この携帯端末では、電池収納部１１の中枠２４の各角領域とこれに対応する電池蓋１０の枠状部２５の各角領域とがそれぞれ円弧部２４ｂ、２５ｂに形成されていることにより、電池蓋１０の枠状部２５を防水パッキン２６と共に電池収納部１１の中枠２４内に挿入させた際に、電池蓋１０の枠状部２５と電池収納部１１の中枠２４とにおける各角領域の円弧部２５ｂ、２４ｂ間に位置する箇所の防水パッキン２６の伸びを各円弧部２５ｂ、２４ｂの円弧によって防水パッキン２６の側圧力を分散させて小さく抑えることができる。
【００８８】
また、この携帯端末では、電池収納部１１の中枠２４の内壁面２４ａに電池収納部１１の底部側から電池挿脱口１１ａ側に向けて次第に広がる抜き勾配θが設けられていることにより、電池蓋１０の枠状部２５を防水パッキン２６と共に電池収納部１１の中枠２４内に挿入させる際に、中枠２４の内壁面２４ａに対する防水パッキン２６の摩擦抵抗を抜き勾配θによって軽減することができ、これにより電池蓋１０の枠状部２５を防水パッキン２６と共に電池収納部１１の中枠２４内に円滑に挿入させることができると共に、防水パッキン２６の捩れや切断を防ぐことができる。
【００８９】
また、この携帯端末では、電池蓋１０がその下辺部側の端部に設けられた支点突起部１０ａを中心に回転して電池収納部１１の電池挿脱口１１ａを開閉させることにより、電池蓋１０の枠状部２５を電池収納部１１の中枠２４内に、電池蓋１０の支点突起部１０ａ側からその反対側に向けて徐々に挿入させることができる。このため、枠状部２５の外周に設けられた防水パッキン２６を電池収納部１１の中枠２４の内壁面２４ａに順次圧接しながら良好に挿入させることができる。
【００９０】
すなわち、この携帯端末では、電池蓋１０の支点突起部１０ａを中心に電池蓋１０が回転して、電池蓋１０の枠状部２５が電池収納部１１の中枠２４内に挿入される際に、電池蓋１０の回転に応じて防水パッキン２６を支点突起部１０ａ側の下辺部から上辺側に向けて順次中枠２４の内壁面２４ａに圧接させることができるので、円滑にかつ良好に枠状部２５を中枠２４内に挿入させることができる。
【００９１】
この場合、この携帯端末では、電池蓋１０の枠状部２５に設けられた溝部２５ａで囲まれる領域の形状が、電池蓋１０の支点突起部１０ａから離れる方向と直交する幅方向の長さが支点突起部１０ａから離れるに従って次第に長くなる形状となるように、形成されていることにより、電池蓋１０の枠状部２５の外周と電池収納部１１の中枠２４の内壁面２４ａとを支点突起部１０ａから離れるに従って次第に広がる末広形状に形成することができる。
【００９２】
このため、この携帯端末では、電池蓋１０の支点突起部１０ａを中心に電池蓋１０が回転して、電池蓋１０の枠状部２５を電池収納部１１の中枠２４内に挿入させる際に、支点突起部１０ａ側から徐々に広くなる方向に向けて電池蓋１０の枠状部２５を電池収納部１１の中枠２４内に挿入させることができるので、円滑にかつ良好に枠状部２５を中枠２４内に挿入させることができると共に、防水パッキン２６の捩れや切断を良好に防ぐことができる。
【００９３】
また、この携帯端末では、電池蓋１０の枠状部２５に設けられた溝部２５ａで囲まれる領域の形状が、電池蓋１０の支点突起部１０ａから離れた端部において電池蓋１０の支点突起部１０ａから離れる方向に向けて緩やかに突出して湾曲する形状となるように、形成されていることにより、電池蓋１０の支点突起部１０ａから離れた端部において、防水パッキン２６を円滑にかつ確実に圧接させることができ、これにより防水性を確保することができる。
【００９４】
すなわち、この携帯端末では、電池蓋１０の支点突起部１０ａを中心に電池蓋１０が回転して、枠状部２５を中枠２４内に挿入させる際に、支点突起部１０ａから離れる方向に位置する枠状部２５の湾曲部２５ｃに位置する防水パッキン２６を中枠２４の湾曲部２４ｃの内面にその湾曲に沿って順次圧接させることができるので、防水パッキン２６を中枠２４の湾曲部２４ｃに円滑にかつ確実に接接させることができ、これにより防水性を確保することができる。
【００９５】
さらに、電池収納部１１の中枠２４の抜き勾配θは、電池蓋１０の支点突起部１０ａ側の傾斜角度が小さく、支点突起部１０ａから離れた端部側の湾曲部２４ｃでの傾斜角度が大きく形成されていることにより、電池蓋１０の枠状部２５を電池収納部１１の中枠２４内に挿入する際に、電池蓋１０の支点突起部１０ａから離れた中枠２４の湾曲部２４ｃに対する防水パッキン２６の摩擦抵抗を小さく抑えることができ、これにより電池蓋１０の枠状部２５を電池収納部１１の中枠２４内に円滑にかつ良好に挿入させることができる。
【００９６】
なお、上述した実施形態では、防水パッキン２６が挿着する電池蓋１０の溝部２５ａの幅を溝部２５ａにおける直線領域よりも角領域の方が狭く形成して、防水パッキン２６への側圧力を防水パッキン２６における直線領域よりも角領域の方が大きくなるように設定した場合について述べたが、この発明はこれに限らず、例えば電池蓋１０の周囲と電池挿脱口１１ａの周囲との間に隙間を設け、この隙間を電池蓋１０と電池挿脱口１１ａとにおける直線領域よりも角領域の方が狭く形成し、防水パッキン２６への側圧力を防水パッキン２６における直線領域よりも角領域の方が大きくなるように設定しても良い。
【００９７】
この場合には、防水パッキン２６が挿着する溝部２５ａの溝幅を溝部２５ａの全周に亘って一定に形成し、溝部２５ａ内から外部に突出する防水パッキン２６の突出長を一定にすれば良い。このように構成すれば、電池蓋１０の周囲と電池挿脱口１１ａの周囲との隙間を、電池蓋１０と電池挿脱口１１ａとにおける直線領域よりも角領域の方が狭く形成することにより、防水パッキン２６への側圧力を防水パッキン２６における直線領域よりも角領域の方が大きくなるようにすることができるので、上述した実施形態と同様の作用効果がある。
【００９８】
また、上述した実施形態では、電池蓋１０の枠状部２５に防水パッキン２６が挿着する溝部２５ａを設けた場合について述べたが、この発明はこれに限らず、例えば、電池収納部１１の中枠に抜き勾配θを設けなければ、電池収納部１１の中枠２４に防水パッキン２６が挿着する溝部を設けた構造であっても良い。
【００９９】
また、上述した実施形態では、電池を収納する電池収納部１１の電池挿脱口１１ａを電池蓋１０で開閉可能に覆う場合について述べたが、この発明は必ずしも電池収納部を１１の電池挿脱口１１ａを電池蓋１０で開閉可能に覆う構造である必要はなく、例えば、機器ケース１を外部機器と接続するための接続端子を端子カバーで開閉可能に覆う構造、または機器ケース１内に着脱可能に装着されるメモリカードのカード収納部をカードカバーで開閉可能に覆う構造などにも適用することができる。
【０１００】
さらに、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【０１０１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０２】
（付記）
請求項１に記載の発明は、筺体の一面側に電池挿脱口が設けられた電池収納部と、前記電池挿脱口を開閉可能に塞ぐ電池蓋と、前記電池蓋の周囲または前記電池挿脱口の周囲に設けられた溝に挿着されて前記電池収納部を前記電池蓋により密閉させるためのパッキンと、を備え、前記溝に挿着された前記パッキンへの側圧力が前記パッキンにおける直線領域よりも角領域の方が大きくなるように設定されていることを特徴とする電池蓋構造である。
【０１０３】
請求項２に記載の発明は、請求項１に記載の電池蓋構造において、前記電池蓋の周囲と前記電池挿脱口の周囲との間に設けられる隙間は、前記電池蓋と前記電池挿脱口とにおける直線領域よりも角領域の方が狭く形成されることにより、前記パッキンへの側圧力が前記パッキンにおける直線領域よりも角領域の方が大きくなるように設定されていることを特徴とする電池蓋構造である。
【０１０４】
請求項３に記載の発明は、請求項１に記載の電池蓋構造において、前記溝の幅を当該溝における直線領域よりも角領域の方が狭く形成されることにより、前記パッキンへの側圧力が前記パッキンにおける直線領域よりも角領域の方が大きくなるように設定されていることを特徴とする電池蓋構造である。
【０１０５】
請求項４に記載の発明は、請求項１〜請求項３のいずれかに記載の電池蓋構造において、前記溝は前記電池蓋の周囲に設けられ、前記電池収納部は前記電池挿脱口に対応する内壁面を有し、前記内壁面は前記電池収納部の底部側から前記電池挿脱口側に向けて次第に広がる抜き勾配が設けられていることを特徴とする電池蓋構造である。
【０１０６】
請求項５に記載の発明は、請求項１〜請求項４のいずれかに記載の電池蓋構造において、前記電池蓋は、当該電池蓋の一端部に設けられた支点部を中心に回転して前記電池挿脱口を開閉させることを特徴とする電池蓋構造である。
【０１０７】
請求項６に記載の発明は、請求項５に記載の電池蓋構造において、前記溝で囲まれる領域の形状が、前記電池蓋の前記支点部から離れる方向と直交する幅方向の長さが前記支点部から離れるに従って次第に長くなる形状となるように、形成されていることを特徴とする電池蓋構造である。
【０１０８】
請求項７に記載の発明は、請求項５または請求項６に記載の電池蓋構造において、前記溝で囲まれる領域の形状が、前記電池蓋の前記支点部から離れた端部において前記電池蓋の前記支点部から離れる方向に向けて緩やかに突出して湾曲する形状となるように、形成されていることを特徴とする電池蓋構造である。
【０１０９】
請求項８に記載の発明は、請求項４〜請求項７のいずれかに記載の電池蓋構造において、前記抜き勾配は、前記電池蓋の前記支点部側での角度が小さく、前記支点部から離れた前記端部側での角度が大きく形成されていることを特徴とする電池蓋構造である。
【０１１０】
請求項９に記載の発明は、筺体の一面側に開口部が設けられた収納部と、前記開口部を開閉可能に塞ぐ蓋部材と、前記蓋部材の周囲または前記開口部の周囲に設けられた溝に挿着されて前記収納部を前記蓋部材により密閉させるためのパッキンと、を備え、前記溝に挿着された前記パッキンへの側圧力が前記パッキンにおける直線領域よりも角領域の方が大きくなるように設定されていることを特徴とする携帯端末である。
【符号の説明】
【０１１１】
１  機器ケース
２  上部ケース
３  下部ケース
４  表示部
５  キー操作部
６  光学読取部
１０  電池蓋
１０ａ  支点突起部
１１  電池収納部
１１ａ  電池挿脱口
１４  グリップ部
１５  盛上り部
１５ａ  頭頂部
１７  第１の指掛領域
１８  第２の指掛領域
２０  下面トリガーキー
２１  釦挿入孔
２３  蓋保持部
２４  中枠
２４ａ  内壁面
２４ｂ、２５ｂ  円弧部
２４ｃ、２５ｃ  湾曲部
２４ｄ  面取部
２５  枠状部
２５ａ  溝部
２６  防水パッキン
θ  抜き勾配
【図１】
2019053859.tif 000003
【図２】
2019053859.tif 000004
【図３】
2019053859.tif 000005
【図４】
2019053859.tif 000006
【図５】
2019053859.tif 000007
【図６】
2019053859.tif 000008
【図７】
2019053859.tif 000009
【図８】
2019053859.tif 000010
【図９】
2019053859.tif 000011
【図１０】
2019053859.tif 000012